(57)【要約】【課題】取付金具を半田付けにより基板に接合するときに、半田の含有するフラックスがコンタクトへと流れるのを低減すること。【解決手段】コネクタ１００は、複数のコンタクト１と、ハウジング２と、取付金具３とを備える。取付金具３は、ハウジング２の背面２０から露出して、基板に接合される接合部３０を有する。複数のコンタクト１の各々は、ハウジング２の背面２０から露出する露出部１０を有する。ハウジング２は、突出部２６と、窪み部２７とを有する。突出部２６は、少なくとも一部のコンタクト１の露出部１０と接合部３０との間に設けられて、背面２０から突出する。窪み部２７は、少なくとも一部のコンタクト１の露出部１０と突出部２６との間に設けられて、突出部２６の基板に対向する対向面２６０に対して窪んでいる。【選択図】図１
2018107048.tif 000002
【特許請求の範囲】
【請求項１】
複数のコンタクトと、
前記複数のコンタクトを保持するハウジングと、
前記ハウジングに取り付けられる取付金具とを備え、
前記取付金具は、前記ハウジングの基板に対向する背面から露出して、基板に接合される接合部を有しており、
前記複数のコンタクトの各々は、前記ハウジングの前記背面から露出する露出部を有しており、
前記ハウジングは、
前記複数のコンタクトのうち少なくとも一部のコンタクトの前記露出部と前記接合部との間に設けられて、前記背面から突出する突出部と、
前記複数のコンタクトのうち少なくとも一部のコンタクトの前記露出部と前記突出部との間に設けられて、前記突出部の前記基板に対向する対向面に対して窪んだ窪み部とを有していることを特徴とするコネクタ。
【請求項２】
前記突出部は、前記複数のコンタクトの全ての前記露出部と前記接合部との間に設けられており、
前記窪み部は、前記複数のコンタクトの全ての前記露出部と前記突出部との間に設けられていることを特徴とする請求項１記載のコネクタ。
【請求項３】
前記突出部は、前記複数のコンタクトのうち一部のコンタクトの前記露出部と前記接合部との間に設けられており、
前記窪み部は、前記複数のコンタクトのうち一部のコンタクトの前記露出部と前記突出部との間に設けられていることを特徴とする請求項１記載のコネクタ。
【請求項４】
前記ハウジングは、他コネクタが嵌合する嵌合部を更に有しており、
前記突出部は、前記背面において前記嵌合部と対応する位置に設けられていることを特徴とする請求項１又は２に記載のコネクタ。
【請求項５】
前記接合部の前記背面から突出する寸法は、前記突出部の前記背面から突出する寸法以上であることを特徴とする請求項１乃至４のいずれか１項に記載のコネクタ。
【請求項６】
前記突出部は、前記ハウジングと同一の材料で形成されていることを特徴とする請求項１乃至５のいずれか１項に記載のコネクタ。
【請求項７】
前記突出部は、前記取付金具と同一の材料で形成されていることを特徴とする請求項１乃至５のいずれか１項に記載のコネクタ。
【請求項８】
前記ハウジングは、前記接合部と前記突出部との間に設けられて、前記突出部の前記対向面に対して窪んだ溝部を更に有していることを特徴とする請求項１乃至７のいずれか１項に記載のコネクタ。
【請求項９】
前記突出部は、一対であって、
前記ハウジングは、前記一対の突出部の間に設けられて、前記突出部の前記対向面に対して窪んだ凹部を更に有していることを特徴とする請求項１乃至８のいずれか１項に記載のコネクタ。
【請求項１０】
前記突出部及び前記窪み部は、それぞれ複数であって、
前記複数の突出部及び前記複数の窪み部は、前記複数のコンタクトの配列方向に沿って交互に並んでいることを特徴とする請求項１乃至９のいずれか１項に記載のコネクタ。
【請求項１１】
請求項１乃至１０のいずれか１項に記載のコネクタと、
前記複数のコンタクトと電気的に接続される複数の他コネクタ側コンタクトを有する他コネクタとを備えることを特徴とする接続装置。
【発明の詳細な説明】
【技術分野】
【０００１】
本発明は、一般にコネクタ、及び接続装置に関し、より詳細には、電子部品同士を電気的に接続するためのコネクタ、及び接続装置に関する。
【背景技術】
【０００２】
従来、電子部品同士を電気的に接続するためのコネクタが知られており、例えば特許文献１に開示されている。特許文献１に記載のコネクタを構成するソケットは、金属製のソケット側端子（コンタクト）と、金属製のソケット側保持金具（取付金具）と、樹脂製のソケットハウジング（ハウジング）とを備えている。ソケット側保持金具は、ソケットハウジングの強度を高めるために取り付けられている。ソケット側端子及びソケット側保持金具は、いずれも回路配線基板（基板）の導体配線パターンに半田によって固定されている。
【先行技術文献】
【特許文献】
【０００３】
【特許文献１】国際公開第２０１５／０６３８１７号
【発明の概要】
【発明が解決しようとする課題】
【０００４】
ところで、上記従来例のようなコネクタでは、取付金具を半田付けにより基板に接合するときに、半田の含有するフラックスがコンタクトへと流れるのを低減することが望まれている。
【０００５】
本発明は、上記の点に鑑みてなされており、取付金具を半田付けにより基板に接合するときに、半田の含有するフラックスがコンタクトへと流れるのを低減することのできるコネクタ、及び接続装置を提供することを目的とする。
【課題を解決するための手段】
【０００６】
本発明の第１の態様のコネクタは、複数のコンタクトと、ハウジングと、取付金具とを備える。前記ハウジングは、前記複数のコンタクトを保持する。前記取付金具は、前記ハウジングに取り付けられる。前記取付金具は、前記ハウジングの基板に対向する背面から露出して、基板に接合される接合部を有している。前記複数のコンタクトの各々は、前記ハウジングの前記背面から露出する露出部を有している。前記ハウジングは、突出部と、窪み部とを有している。前記突出部は、前記複数のコンタクトのうち少なくとも一部のコンタクトの前記露出部と前記接合部との間に設けられて、前記背面から突出する。前記窪み部は、前記複数のコンタクトのうち少なくとも一部のコンタクトの前記露出部と前記突出部との間に設けられて、前記突出部の前記基板に対向する対向面に対して窪んでいる。
【０００７】
本発明の第２の態様のコネクタでは、第１の態様において、前記突出部は、前記複数のコンタクトの全ての前記露出部と前記接合部との間に設けられている。前記窪み部は、前記複数のコンタクトの全ての前記露出部と前記突出部との間に設けられている。
【０００８】
本発明の第３の態様のコネクタでは、第１の態様において、前記突出部は、前記複数のコンタクトのうち一部のコンタクトの前記露出部と前記接合部との間に設けられている。前記窪み部は、前記複数のコンタクトのうち一部のコンタクトの前記露出部と前記突出部との間に設けられている。
【０００９】
本発明の第４の態様のコネクタでは、第１又は第２の態様において、前記ハウジングは、他コネクタが嵌合する嵌合部を更に有している。前記突出部は、前記背面において前記嵌合部と対応する位置に設けられている。
【００１０】
本発明の第５の態様のコネクタでは、第１〜第４のいずれかの態様において、前記接合部の前記背面から突出する寸法は、前記突出部の前記背面から突出する寸法以上である。
【００１１】
本発明の第６の態様のコネクタでは、第１〜第５のいずれかの態様において、前記突出部は、前記ハウジングと同一の材料で形成されている。
【００１２】
本発明の第７の態様のコネクタでは、第１〜第５のいずれかの態様において、前記突出部は、前記取付金具と同一の材料で形成されている。
【００１３】
本発明の第８の態様のコネクタでは、第１〜第７のいずれかの態様において、前記ハウジングは、溝部を更に有している。前記溝部は、前記接合部と前記突出部との間に設けられて、前記突出部の前記対向面に対して窪んでいる。
【００１４】
本発明の第９の態様のコネクタでは、第１〜第８のいずれかの態様において、前記突出部は、一対である。前記ハウジングは、凹部を更に有している。前記凹部は、前記一対の突出部の間に設けられて、前記突出部の前記対向面に対して窪んでいる。
【００１５】
本発明の第１０の態様のコネクタには、第１〜第９のいずれかの態様において、前記突出部及び前記窪み部は、それぞれ複数である。前記複数の突出部及び前記複数の窪み部は、前記複数のコンタクトの配列方向に沿って交互に並んでいる。
【００１６】
本発明の第１１の態様の接続装置は、第１〜第１０のいずれかの態様のコネクタと、他コネクタとを備える。前記他コネクタは、前記複数のコンタクトと電気的に接続される複数の他コネクタ側コンタクトを有する。
【発明の効果】
【００１７】
本発明は、取付金具を半田付けにより基板に接合するときに、半田の含有するフラックスがコンタクトへと流れるのを低減することができる。
【図面の簡単な説明】
【００１８】
【図１】図１Ａは、本発明の実施形態１に係るコネクタの後面図である。図１Ｂは、本発明の実施形態１に係るコネクタの一部の断面図である。
【図２】図２は、同上のコネクタの斜視図である。
【図３】図３は、同上のコネクタの前後を反転させた状態の斜視図である。
【図４】図４は、同上のコネクタの前面図である。
【図５】図５は、本発明の実施形態１に係る接続装置においてコネクタに他コネクタが接続される前の状態を示す断面図である。
【図６】図６は、同上の接続装置においてコネクタに他コネクタが接続された状態を示す断面図である。
【図７】図７は、同上の接続装置における他コネクタの斜視図である。
【図８】図８は、同上の接続装置における他コネクタの前後を反転させた状態の斜視図である。
【図９】図９は、同上の接続装置における他コネクタの前面図である。
【図１０】図１０は、同上の接続装置における他コネクタの後面図である。
【図１１】図１１Ａは、比較例のコネクタの後面図である。図１１Ｂは、比較例のコネクタの一部の断面図である。
【図１２】図１２Ａは、本発明の実施形態１に係るコネクタを基板に実装した後での半田付けの状態を示す平面図である。図１２Ｂは、比較例のコネクタを基板に実装した後での半田付けの状態を示す平面図である。
【図１３】図１３Ａは、本発明の実施形態１の第１変形例に係るコネクタの後面図である。図１３Ｂは、本発明の実施形態１の第２変形例に係るコネクタの後面図である。図１３Ｃは、本発明の実施形態１の第３変形例に係るコネクタの後面図である。
【図１４】図１４は、本発明の実施形態１の第４変形例に係るコネクタの後面図である。
【図１５】図１５は、本発明の実施形態１の第５変形例に係るコネクタの後面図である。
【図１６】図１６は、本発明の実施形態２に係るコネクタの斜視図である。
【図１７】図１７は、同上のコネクタの後面図である。
【図１８】図１８は、本発明の実施形態２の変形例に係るコネクタの後面図である。
【発明を実施するための形態】
【００１９】
（１）概要
以下、実施形態１のコネクタ１００について図１Ａ〜図５を用いて説明する。本実施形態のコネクタ１００は、例えばプリント配線板やフレキシブルプリント配線板などの基板に取り付けられる。コネクタ１００は、例えばスマートフォン等の携帯端末に搭載されている複数の基板の間を電気的に接続するために用いられる。もちろん、コネクタ１００の用途を限定する趣旨ではなく、コネクタ１００は、例えばカメラモジュール等の携帯端末以外の電子機器に用いられてもよい。また、コネクタ１００は、複数の基板の間を電気的に接続する用途に限られず、例えば基板とディスプレイとの間や、基板とバッテリとの間など、複数の部品の間を電気的に接続する用途であればよい。
【００２０】
コネクタ１００は、図１Ａ〜図５に示すように、複数のコンタクト１と、ハウジング２と、取付金具３とを備えている。ハウジング２は、複数のコンタクト１を保持する。取付金具３は、ハウジング２に取り付けられる。ハウジング２の厚さ方向の寸法は、例えば数ｍｍ以下である。また、ハウジング２の長手方向の寸法は、例えば十数ｍｍである。また、ハウジング２の短手方向の寸法は、例えば数ｍｍである。更に、複数のコンタクト１の並ぶ間隔、つまりピッチは、例えばコンマ数ｍｍである。本実施形態では、複数のコンタクト１は等ピッチで並んでいるが、不揃いのピッチで並んでいてもよい。
【００２１】
取付金具３は、接合部３０を有している。接合部３０は、ハウジング２の基板５（図５、図６参照）と対向する背面２０から露出して、基板５に接合される。複数のコンタクト１の各々は、ハウジング２の背面２０から露出する露出部１０を有している。また、複数のコンタクト１の各々は、基板５に接合される端子片１４（後述する）を有している。したがって、半田付けにより、取付金具３の接合部３０、及び複数のコンタクト１の各々の端子片１４を基板５に接合することで、コネクタ１００は基板５に実装される。
【００２２】
ハウジング２は、図１Ａ、図１Ｂに示すように、突出部２６と、窪み部２７とを有している。突出部２６は、複数のコンタクト１のうち少なくとも一部のコンタクト１の露出部１０と接合部３０との間に設けられて、背面２０から突出する。窪み部２７は、複数のコンタクト１のうち少なくとも一部のコンタクト１の露出部１０と突出部２６との間に設けられて、突出部２６の基板５に対向する対向面２６０に対して窪んでいる。
【００２３】
本実施形態のコネクタ１００では、取付金具３を半田付けにより基板５に接合するときに、半田６（図１２Ａ参照）の含有するフラックス６１（図１２Ａ参照）が溶融し、広がろうとする。そして、本実施形態のコネクタ１００では、仮に半田６の含有するフラックス６１がコンタクト１側へ流れたとしても、フラックス６１が基板５と窪み部２７との間の部位により広がり難い。このため、本実施形態のコネクタ１００では、取付金具３を半田付けにより基板５に接合するときに、半田６の含有するフラックス６１がコンタクト１へと流れるのを低減することができる。
【００２４】
（２）詳細
以下、本実施形態のコネクタ１００の構成について詳細に説明する。以下では、ハウジング２の厚さ方向を前後方向、ハウジング２の短手方向を上下方向、ハウジング２の長手方向を左右方向として説明する。なお、図１Ａ〜図１８には、これらの方向（上、下、左、右、前、後）を表す矢印を示すが、これらの矢印は、単に説明を補助する目的で記載しているに過ぎず、実体を伴わない。また、上記の方向の規定は、本実施形態のコネクタ１００の使用形態を限定する趣旨ではない。
【００２５】
本実施形態のコネクタ１００は、ソケット（メスコネクタ）であって、図１Ａ〜図６に示すように、複数（ここでは、２０本）のコンタクト１と、ハウジング２と、一対の取付金具３とを備えている。
【００２６】
コンタクト１は、信号伝送用の端子であって、帯状の金属板を折り曲げることにより形成されている。また、コンタクト１には、金めっきが施されている。コンタクト１は、図５、図６に示すように、ばね片１１と、立ち上がり片１２と、立ち下がり片１３と、端子片１４とを有しており、これらを一体に形成して構成されている。
【００２７】
ばね片１１は、先端が馬蹄形に湾曲しており、ハウジング２の短手方向（上下方向）に撓むように構成されている。また、ばね片１１は、嵌合部２４（後述する）に他コネクタ２００（後述する）のコンタクト１Ａ（後述する）が挿入された状態で、コンタクト１Ａに押されることで、コンタクト１Ａに向かう向きの弾性力を発生するように構成されている。
【００２８】
立ち上がり片１２は、ハウジング２の厚さ方向（前後方向）に長い板状に形成されている。立ち上がり片１２の第１端（後端）は、ばね片１１と一体に形成されている。立ち上がり片１２は、嵌合部２４に他コネクタ２００のコンタクト１Ａが挿入された状態で、コンタクト１Ａと接触するように構成されている。
【００２９】
また、立ち上がり片１２には、ばね片１１に向かって突出する突起１２１が一体に形成されている。嵌合部２４に他コネクタ２００のコンタクト１Ａが挿入された状態において、突起１２１は、コンタクト１Ａの突起１６１（後述する）と前後方向に並び、かつ、コンタクト１Ａの突起１６１よりも前方に位置する。このため、所定以上の力をもって他コネクタ２００を嵌合部２４から引き抜こうとしない限り、コンタクト１Ａの突起１６１がコンタクト１の突起１２１に引っ掛かることにより、コネクタ１００と他コネクタ２００との接続状態が解除されない。つまり、コンタクト１の突起１２１及びコンタクト１Ａの突起１６１は、所定以上の力を加えることによりコネクタ１００と他コネクタ２００との接続状態を解除可能なロック機構を構成している。
【００３０】
立ち下がり片１３は、ハウジング２の厚さ方向（前後方向）に長い板状に形成されている。立ち下がり片１３の第１端（前端）は、逆Ｕ字状に湾曲しており、立ち上がり片１２の第２端（前端）と一体に形成されている。
【００３１】
端子片１４は、ハウジング２の短手方向（上下方向）に長い板状に形成されている。端子片１４は、立ち下がり片１３の第２端（後端）と一体に形成されている。また、端子片１４の先端は、ハウジング２の厚さ方向の一端側（後側）において、ハウジング２から露出している。端子片１４の一面（後面）は、例えば半田付けにより基板５に接合される接合面となる。
【００３２】
ハウジング２は、図１Ａ〜図５に示すように、絶縁性を有する樹脂材料により、左右方向に長い扁平な直方体状に形成されている。本実施形態では、ハウジング２は、一対の取付金具３をインサート品としてインサート成形されている。ハウジング２は、底壁２１と、周壁２２と、台部２３と、嵌合部２４と、収納部２５と、突出部２６と、窪み部２７とを有している。突出部２６及び窪み部２７については、「（３）突出部及び窪み部」で詳細に説明する。底壁２１は、左右方向に長い板状であって、ハウジング２の底部を構成する。また、底壁２１の後面は、ハウジング２の背面２０である。
【００３３】
周壁２２は、底壁２１の周縁から前向きに突出しており、平面視で矩形枠状に形成されている。つまり、周壁２２は、底壁２１の周囲を囲むように構成されている。より具体的には、周壁２２は、一対の第１側壁２２１と、一対の第２側壁２２２とで構成されている。一対の第１側壁２２１は、周壁２２のうちハウジング２の長手方向に沿った一対の壁である。一対の第１側壁２２１の各々には、後述する複数の収納部２５にそれぞれ複数のコンタクト１が収納されることにより、複数のコンタクト１が一方向（左右方向）に並んだ状態で保持される。つまり、一対の第１側壁２２１の各々は、複数のコンタクト１を配列方向（左右方向）に並んだ状態で保持する。本実施形態では、一対の第１側壁２２１は、それぞれ１０本のコンタクト１を保持している。
【００３４】
一対の第１側壁２２１の各々において、長手方向（左右方向）の両端部の各々には、取付金具３の側片３２（後述する）が取り付けられている。また、一対の第２側壁２２２の各々には、取付金具３の主片３１（後述する）が取り付けられている。つまり、ハウジング２の長手方向（左右方向）の一端（左端）側にある２つの側片３２と１つの主片３１とで、１つの取付金具３を構成している。同様に、ハウジング２の長手方向の他端（右端）側にある２つの側片３２と１つの主片３１とで、１つの取付金具３を構成している。
【００３５】
台部２３は、左右方向に長い直方体状であって、底壁２１の中央から前向きに突出している。底壁２１、周壁２２、及び台部２３で囲まれた部位は、他コネクタ２００が嵌合する嵌合部２４を構成している。具体的には、嵌合部２４には、他コネクタ２００の一対の第１側壁２２１Ａ（後述する）と、他コネクタ２００の一対の第２側壁２２２Ａ（後述する）とが嵌合する。言い換えれば、嵌合部２４には、他コネクタ２００が嵌合する。これにより、コネクタ１００に他コネクタ２００が接続される。
【００３６】
ハウジング２には、複数のコンタクト１と１対１に対応する複数（ここでは、２０個）の収納部２５が形成されている。複数の収納部２５は、それぞれ底壁２１を厚さ方向（前後方向）に貫通するように形成されている。複数の収納部２５は、台部２３を挟んだ上下両側に二等分されて設けられている。台部２３の上下両側にある複数の収納部２５は、いずれもハウジング２の長手方向（左右方向）に沿ってほぼ等間隔に並んで設けられている。複数のコンタクト１の各々は、後方から収納部２５に押し込まれることにより、収納部２５に収納されている。
【００３７】
複数のコンタクト１の各々は、収納部２５に収納された状態で、一部が嵌合部２４に露出している。具体的には、コンタクト１のばね片１１の先端側の部位が、台部２３の内側から嵌合部２４に露出している。また、コンタクト１の立ち上がり片１２の一部が、第１側壁２２１の内側から嵌合部２４に露出している。更に、複数のコンタクト１の各々は、収納部２５に収納された状態で、一部が底壁２１から露出している。具体的には、コンタクト１のばね片１１の底壁２１に沿う部位が、底壁２１を貫通するように露出している。つまり、複数のコンタクト１の各々は、ハウジング２の背面２０から露出する露出部１０（ばね片１１の一部）を有しているといえる。
【００３８】
したがって、コネクタ１００に他コネクタ２００を接続すると、複数のコンタクト１の各々の嵌合部２４に露出した部位が、他コネクタ２００の複数のコンタクト１Ａの各々と接触する。これにより、コネクタ１００の複数のコンタクト１が、それぞれ他コネクタ２００の複数のコンタクト１Ａと電気的に接続される。
【００３９】
一対の取付金具３の各々は、例えば銅合金からなる板状の金属板を折り曲げて形成されている。一対の取付金具３は、それぞれハウジング２の長手方向の両端（左右両端）に設けられている。取付金具３は、ハウジング２の長手方向の一端に設けられることで、ハウジング２の強度を高める機能を有する。取付金具３は、１つの主片３１と、一対の側片３２と、一対の底片３３とで構成されている。
【００４０】
また、一対の側片３２の各々には、ハウジング２の短手方向（上下方向）において内向きに突出する突起３２１が一体に形成されている。嵌合部２４に後述する他コネクタ２００の取付金具３Ａが挿入された状態において、突起３２１は、取付金具３Ａの突起３５１（後述する）と前後方向に並び、かつ、取付金具３Ａの突起３５１よりも前方に位置する。このため、所定以上の力をもって他コネクタ２００を嵌合部２４から引き抜こうとしない限り、取付金具３Ａの突起３５１が取付金具３の突起３２１に引っ掛かることにより、コネクタ１００と他コネクタ２００との接続状態が解除されない。つまり、取付金具３及び取付金具３Ａは、所定以上の力を加えることによりコネクタ１００と他コネクタ２００との接続状態を解除可能なロック機構を構成している。
【００４１】
また、本実施形態では、コネクタ１００に他コネクタ２００を接続した状態で、取付金具３の嵌合部２４に露出した部位が、他コネクタ２００の取付金具３Ａと接触する。したがって、取付金具３を取付金具３Ａに電気的に接続することも可能である。つまり、取付金具３（取付金具３Ａ）は、電源に電気的に接続するための電源端子４（電源端子４Ａ）として用いることも可能である。
【００４２】
以下の説明では、一対の取付金具３のうち、ハウジング２の一端（左端）に取り付けられる取付金具３を例として説明するが、ハウジング２の他端（右端）に取り付けられる取付金具３も同様の構成である。主片３１は、一対の第２側壁２２２のうち一方（左方）の第２側壁２２２に取り付けられる。一対の側片３２のうち一方の側片３２は、主片３１の一端（下端）と一体に形成されており、一対の第１側壁２２１のうち一方（下方）の第１側壁２２１の長手方向（左右方向）の一端部であって、複数のコンタクト１が配列されていない部位に取り付けられる。一対の側片３２のうち他方の側片３２は、主片３１の他端（上端）と一体に形成されており、一対の第１側壁２２１のうち他方（上方）の第１側壁２２１の長手方向の一端部であって、複数のコンタクト１が配列されていない部位に取り付けられる。一対の底片３３は、それぞれ主片３１の後端と一体に形成されており、ハウジング２の底壁２１に沿うように曲げられている。
【００４３】
一対の底片３３のうち一方の底片３３は、台部２３の下側にある複数のコンタクト１と一方向（左右方向）に並ぶように、ハウジング２に保持されている。また、一対の底片３３のうち他方の底片３３は、台部２３の上側にある複数のコンタクト１と一方向（左右方向）に並ぶように、ハウジング２に保持されている。
【００４４】
一対の底片３３の各々の一面（後面）は、ハウジング２の底壁２１から露出しており、半田付けにより基板５に接合される。また、一対の側片３２の各々の後面は、ハウジング２の底壁２１から露出しており、半田付けにより基板５に接合される。つまり、取付金具３は、ハウジング２の基板５に対向する背面２０から露出して、基板５に接合される接合部３０（底片３３の後面、及び側片３２の後面）を有しているといえる。接合部３０の背面２０から突出する寸法は、例えば約０．０２ｍｍである。
【００４５】
上述のように構成されたコネクタ１００は、図５、図６に示すように、例えばスマートフォン等の電子機器に内蔵された基板５（ここでは、第１基板５１）に実装される。また、コネクタ１００に対応する他コネクタ２００は、同じく電子機器に内蔵された他の基板５（ここでは、第２基板５２）に実装される。
【００４６】
そして、コネクタ１００が他コネクタ２００に接続されることにより、第１基板５１に配線された第１導体と、第２基板５２に配線された第２導体との間が電気的に接続される。具体的には、コネクタ１００の複数のコンタクト１が、他コネクタ２００の複数のコンタクト１Ａに電気的に接続されることで、コネクタ１００が他コネクタ２００に接続される。つまり、本実施形態では、コネクタ１００と、他コネクタ２００とで、接続装置３００が構成されている。言い換えれば、接続装置３００は、コネクタ１００と、他コネクタ２００とを備えている。
【００４７】
以下、本実施形態のコネクタ１００に対応する他コネクタ２００について図５〜図１０を用いて説明する。なお、図５、図６においては、他コネクタ２００は、前後を反転させた状態で図示されている。したがって、以下では、図７〜図１０にて規定する方向に基づいて他コネクタ２００について説明する。
【００４８】
本実施形態では、他コネクタ２００は、ヘッダ（オスコネクタ）であって、複数（ここでは、２０本）の他コネクタ側コンタクト１Ａと、他コネクタ側ハウジング２Ａと、他コネクタ側取付金具３Ａとを備える。以下の説明では、原則、他コネクタ側コンタクト１Ａ、他コネクタ側ハウジング２Ａ、及び他コネクタ側取付金具３Ａを、それぞれ単に「コンタクト１Ａ」、「ハウジング２Ａ」、及び「取付金具３Ａ」という。
【００４９】
コンタクト１Ａは、信号伝送用の端子であって、帯状の金属板を折り曲げることにより形成されている。また、コンタクト１Ａには、金めっきが施されている。コンタクト１Ａは、図５、図６に示すように、接触片１５と、垂下片１６と、端子片１７とを有しており、これらを一体に形成して構成されている。接触片１５は、ハウジング２Ａの厚さ方向（前後方向）に長い板状に形成されている。接触片１５は、周壁２２Ａ（後述する）における嵌合部２４Ａ（後述する）との対向面に配置されている。接触片１５は、嵌合部２４Ａにコネクタ１００のコンタクト１が挿入された状態で、コネクタ１００のコンタクト１と接触するように構成されている。
【００５０】
また、接触片１５には、嵌合部２４Ａから離れる向きに窪んだ窪み１５１が設けられている。窪み１５１は、コネクタ１００のコンタクト１が嵌合部２４に挿入された状態で、コネクタ１００のコンタクト１の一部が嵌まり込むように構成されている。つまり、コネクタ１００のコンタクト１及び接触片１５の窪み１５１は、所定以上の力を加えることによりコネクタ１００と他コネクタ２００との接続状態を解除可能なロック機構を構成している。
【００５１】
垂下片１６は、ハウジング２Ａの厚さ方向（前後方向）に長い板状に形成されている。垂下片１６は、第１側壁２２１Ａの外側の面（上面又は下面）に沿って配置されている。垂下片１６の一端（前端）は、逆Ｕ字状に湾曲しており、接触片１５の第１端（前端）と一体に形成されている。また、垂下片１６には、垂下片１６の厚さ方向（上下方向）に沿って突出する突起１６１が一体に形成されている。突起１６１は、既に述べたように、コンタクト１の突起１２１に引っ掛かることでロック機構を構成する。
【００５２】
端子片１７は、ハウジング２Ａの短手方向（上下方向）に長い板状に形成されている。端子片１７の第１端は、接触片１５の第２端（後端）と一体に形成されている。また、端子片１７の第２端は、ハウジング２Ａの厚さ方向の一端側（後側）において、ハウジング２Ａの底壁２１から露出している。端子片１７の一面（後面）は、例えば半田付けにより基板５に接合される接合面となる。つまり、複数のコンタクト１Ａの各々は、ハウジング２Ａの背面２０Ａから露出する露出部１０Ａ（端子片１７の後面）を有しているといえる。
【００５３】
ハウジング２Ａは、絶縁性を有する樹脂材料により、左右方向に長い扁平な直方体状に形成されている。ハウジング２Ａは、底壁２１Ａと、周壁２２Ａと、嵌合部２４Ａと、突出部２６Ａと、窪み部２７Ａとを有している。突出部２６Ａ及び窪み部２７Ａについては、「（３）突出部及び窪み部」で詳細に説明する。底壁２１Ａは、左右方向に長い板状であって、ハウジング２の底部を構成する。また、底壁２１Ａの後面は、ハウジング２Ａの背面２０Ａである。
【００５４】
周壁２２Ａは、底壁２１Ａの周縁から前向きに突出しており、平面視で矩形枠状に形成されている。つまり、周壁２２Ａは、底壁２１Ａの周囲を囲むように構成されている。より具体的には、周壁２２Ａは、一対の第１側壁２２１Ａと、一対の第２側壁２２２Ａとで構成されている。一対の第１側壁２２１Ａは、周壁２２Ａのうちハウジング２Ａの長手方向に沿った一対の壁である。底壁２１Ａ及び周壁２２Ａで囲まれた部位は、コネクタ１００が嵌合する嵌合部２４Ａを構成している。具体的には、嵌合部２４Ａには、コネクタ１００の台部２３が嵌合する。
【００５５】
ハウジング２Ａは、複数のコンタクト１Ａ及び一対の取付金具３Ａをインサート品として、インサート成形により形成されている。複数のコンタクト１Ａのうちの半分は、上側の第１側壁２２１Ａに一体に設けられている。また、複数のコンタクト１Ａのうちの残り半分は、下側の第１側壁２２１Ａに一体に設けられている。つまり、ハウジング２Ａは、複数のコンタクト１Ａを配列方向（左右方向）に並んだ状態で保持している。
【００５６】
一対の取付金具３Ａの各々は、例えば銅合金などの金属材料により形成されている。一対の取付金具３Ａは、それぞれハウジング２Ａの長手方向の両端（左右両端）に設けられている。取付金具３Ａは、ハウジング２Ａの長手方向の一端に設けられることで、ハウジング２Ａの強度を高める機能を有する。取付金具３Ａは、一対の端子部３５で構成されている。本実施形態では、取付金具３Ａは、既に述べたように、取付金具３と併せてロック機構を構成する。また、取付金具３Ａは、既に述べたように、電源端子４Ａとして用いることも可能である。
【００５７】
以下の説明では、一対の取付金具３Ａのうち、ハウジング２Ａの一端（左端）に取り付けられる取付金具３Ａを例として説明するが、ハウジング２Ａの他端（右端）に取り付けられる取付金具３Ａも同様の構成である。一対の端子部３５は、いずれもコンタクト１Ａと同様に、接触片１５と、垂下片１６と、端子片１７とを有しており、これらを一体に形成して構成されている。図７〜図１０では、端子部３５の接触片１５の図示を省略している。
【００５８】
一対の端子部３５のうち一方の端子部３５の端子片１７は、嵌合部２４Ａの下側にある複数のコンタクト１Ａと一方向（左右方向）に並ぶように、ハウジング２Ａに保持されている。また、一対の端子部３５のうち他方の端子部３５の端子片１７は、嵌合部２４Ａの上側にある複数のコンタクト１Ａと一方向（左右方向）に並ぶように、ハウジング２Ａに保持されている。
【００５９】
一対の端子部３５の各々において、端子片１７の一面（後面）は、ハウジング２Ａの底壁２１Ａから露出しており、半田付けにより基板５に接合される。つまり、取付金具３Ａは、ハウジング２Ａの基板５に対向する背面２０Ａから露出して、基板５に接合される接合部３０Ａ（端子部３５の端子片１７の後面）を有しているといえる。
【００６０】
（３）突出部及び窪み部
先ず、コネクタ１００の突出部２６及び窪み部２７について図１Ａ、図１Ｂを用いて詳細に説明する。突出部２６及び窪み部２７は、いずれもハウジング２の背面２０に設けられている。ここで、ハウジング２の背面２０は、１つの第１領域Ａ１と、２つの第２領域Ａ２とに分けられる。第１領域Ａ１は、複数のコンタクト１の露出部１０が配置される領域である。第２領域Ａ２は、一対の取付金具３の接合部３０がそれぞれ配置される領域である。第２領域Ａ２には、成形品としてのハウジング２を金型から押し出すためのエジェクタピンが押し当てられる領域が確保されている。なお、第２領域Ａ２にエジェクタピンが押し当てられる領域を設けるか否かは任意である。そして、第１領域Ａ１の基板５との対向面は、２つの第２領域Ａ２の各々の基板５との対向面に対して後方に突出している。言い換えれば、第１領域Ａ１の基板５との対向面は、２つの第２領域Ａ２の各々の基板５との対向面と比較して、基板５に向かう向きに突出している。つまり、ハウジング２の背面２０では、第１領域Ａ１と第２領域Ａ２との境界に段差が形成されている。
【００６１】
２つの第２領域Ａ２の各々には、一対の突出部２６及び窪み部２７が設けられている。以下の説明では、ハウジング２の一端（右端）側の第２領域Ａ２に設けられる一対の突出部２６及び窪み部２７を例として説明するが、ハウジング２の他端（左端）側の第２領域Ａ２に設けられる一対の突出部２６及び窪み部２７も同様の構成である。一対の突出部２６の各々は、ハウジング２と一体に形成されており、背面２０のうち第２領域Ａ２の一面（後面）から後向きに突出している。つまり、一対の突出部２６の各々は、ハウジング２と同一の材料により形成されている。また、一対の突出部２６は、ハウジング２の短手方向（上下方向）において、所定の間隔を空けて設けられている。
【００６２】
一対の突出部２６のうち一方（上側）の突出部２６は、第２領域Ａ２において、取付金具３の上側の底片３３の近傍に配置されている。また、一対の突出部２６のうち他方（下側）の突出部２６は、第２領域Ａ２において、取付金具３の下側の底片３３の近傍に配置されている。つまり、一対の突出部２６の各々は、第１領域Ａ１と、接合部３０との間に設けられている。言い換えれば、一対の突出部２６の各々は、複数のコンタクト１の全ての露出部１０と、接合部３０との間に設けられている。
【００６３】
また、本実施形態では、一対の突出部２６は、背面２０において嵌合部２４と対応する位置に設けられている。具体的には、嵌合部２４の構成要素の１つである底壁２１のうち、底壁２１の長手方向（左右方向）の一端（右端）側の部位の後面に、一対の突出部２６が配置されている。
【００６４】
突出部２６の基板５に対向する対向面（後面）２６０は、第１領域Ａ１の基板５との対向面と略面一である。そして、第２領域Ａ２における一対の突出部２６と第１領域Ａ１との間の領域は、対向面２６０及び第１領域Ａ１の基板５との対向面に対して前向きに窪んでいる。言い換えれば、第２領域Ａ２であって一対の突出部２６と第１領域Ａ１との間の領域における基板５との対向面は、対向面２６０及び第１領域Ａ１の基板５との対向面と比較して、基板５に向かう向きとは反対向きに窪んでいる。つまり、ハウジング２の背面２０には、複数のコンタクト１の全ての露出部１０と、一対の突出部２６との間に設けられて、対向面２６０に対して窪んだ窪み部２７が設けられている。
【００６５】
また、突出部２６の対向面２６０は、取付金具３の底片３３の後面と略面一である。そして、第２領域Ａ２における突出部２６と底片３３との間の領域は、対向面２６０及び底片３３の後面に対して前向きに窪んでいる。言い換えれば、第２領域Ａ２であって突出部２６と底片３３との間の領域における基板５との対向面は、対向面２６０及び底片３３の後面と比較して、基板５に向かう向きとは反対向きに窪んでいる。つまり、ハウジング２は、接合部３０と突出部２６との間に設けられて、対向面２６０に対して窪んだ溝部２８を有している。
【００６６】
次に、他コネクタ２００の突出部２６Ａ及び窪み部２７Ａについて図８、図１０を用いて詳細に説明する。突出部２６Ａ及び窪み部２７Ａは、いずれもハウジング２Ａの背面２０Ａに設けられている。ここで、ハウジング２Ａの背面２０Ａは、１つの第１領域Ａ１１と、２つの第２領域Ａ１２とに分けられる。第１領域Ａ１１は、複数のコンタクト１Ａの露出部１０Ａが配置される領域である。第２領域Ａ１２は、一対の取付金具３Ａの接合部３０Ａがそれぞれ配置される領域である。第２領域Ａ１２には、前向きに窪んだ領域Ａ３が設けられている。
【００６７】
２つの第２領域Ａ１２の各々には、突出部２６Ａ及び窪み部２７Ａが設けられている。以下の説明では、ハウジング２Ａの一端（右端）側の第２領域Ａ１２に設けられる突出部２６Ａ及び窪み部２７Ａを例として説明するが、ハウジング２Ａの他端（左端）側の第２領域Ａ１２に設けられる突出部２６Ａ及び窪み部２７Ａも同様の構成である。
【００６８】
突出部２６Ａは、第１領域Ａ１１と、接合部３０Ａとの間に設けられている。言い換えれば、突出部２６Ａは、複数のコンタクト１Ａの全ての露出部１０Ａと、接合部３０Ａとの間に設けられている。本実施形態では、突出部２６Ａは、図８、図１０に示すように、平面視でＵ字状に形成されているが、この形状に限定する趣旨ではない。また、窪み部２７Ａは、第１領域Ａ１１と突出部２６Ａとの間に設けられており、突出部２６Ａの基板５との対向面２６０Ａに対して前向きに窪んでいる。言い換えれば、窪み部２７Ａにおける基板５との対向面は、突出部２６Ａの基板５との対向面２６０Ａと比較して、基板５に向かう向きとは反対向きに窪んでいる。そして、窪み部２７Ａの底面は、底壁２１Ａの後面であって、ハウジング２Ａの背面２０Ａである。つまり、ハウジング２Ａの背面２０Ａには、複数のコンタクト１Ａの全ての露出部１０Ａと、突出部２６Ａとの間に設けられて、対向面２６０Ａに対して窪んだ窪み部２７Ａが設けられている。なお、第１領域Ａ１１の基板５との対向面と、対向面２６０Ａとは、略面一である。また、第２領域Ａ１２のうち領域Ａ３及び窪み部２７Ａを除いた領域は、背面２０Ａから後向きに突出している。つまり、第２領域Ａ１２のうち領域Ａ３及び窪み部２７Ａを除いた領域が、突出部２６Ａである。
【００６９】
（４）効果
以下、本実施形態のコネクタ１００の効果について、比較例のコネクタ４００との対比を交えて説明する。ただし、比較例のコネクタ４００の基本的な構成は、本実施形態のコネクタ１００と共通しているので、共通する点については説明を省略する。比較例のコネクタ４００では、図１１Ａ、図１１Ｂに示すように、一対の突出部２６の代わりに、１つの突出部２６が２つの第２領域Ａ２の各々に設けられている。そして、２つの第２領域Ａ２の各々において、突出部２６は、第１領域Ａ１と一体に形成されている。つまり、比較例のコネクタ４００では、突出部２６と第１領域Ａ１との間に窪み部２７が設けられていない。
【００７０】
ここで、例えばリフロー式の半田付けによりコネクタを基板に実装する場合、半田が高温環境に晒されることで、半田の含有するフラックスが溶融する。溶融したフラックスは、基板に沿って接合箇所の周囲にある程度広がるが、毛細管現象等により、基板とコネクタとの間が比較的狭い部位に浸入して更に広がる可能性がある。
【００７１】
比較例のコネクタ４００を基板５に実装する場合、半田付けにより、一対の取付金具３の各々の接合部３０と、複数のコンタクト１の各々の端子片１４とが基板５に接合される。比較例のコネクタ４００では、第２領域Ａ２において、基板５と突出部２６との間が他の部位と比較して狭くなっている。このため、接合部３０に固着する半田６の含有するフラックス６１が第２領域Ａ２と基板５との間を広がり、毛細管現象等により、基板５と突出部２６との間に浸入する可能性がある。そして、比較例のコネクタ４００では、突出部２６の対向面２６０と、第１領域Ａ１の基板５との対向面が略面一であるため、浸入したフラックス６１が毛細管現象等により第１領域Ａ１にまで流れ込む可能性がある。この場合、フラックス６１がコンタクト１に付着することにより、コンタクト１の弾性が失われる等して、コンタクト１の本来の機能を発揮することができない虞がある。
【００７２】
一方、本実施形態のコネクタ１００では、突出部２６と第１領域Ａ１との間に窪み部２７が設けられている。そして、基板５と窪み部２７との間は、基板５と突出部２６との間よりも広くなっている。このため、毛細管現象等により基板５と突出部２６との間にフラックス６１が浸入したとしても、基板５と窪み部２７との間の部位でフラックス６１の流路が広がるので、毛細管現象等が発生し難くなる。言い換えれば、基板５と窪み部２７との間の部位により、基板５と突出部２６との間に浸入したフラックス６１が広がり難い。したがって、本実施形態のコネクタ１００では、比較例のコネクタ４００と比較して、複数のコンタクト１の配置されている領域（第１領域Ａ１）までフラックス６１が流れ込むのを低減することができる。
【００７３】
ここで、発明者等は、コネクタを基板に実装した後におけるフラックス６１の広がりを検証する実験を行った。実験は、想定される半田付けの条件のなかでも悪条件が揃った状態で行った。ここでいう「悪条件」とは、例えば、リフロー温度が比較的高い場合、半田６に比較的浸透しやすいフラックス６１が含まれる場合、及び酸素濃度が低い状態でリフロー式の半田付けを行う場合などである。以下、実験結果について図１２Ａ、図１２Ｂを用いて説明する。図１２Ａは、本実施形態のコネクタ１００を基板５に実装した後に、ハウジング２を基板５から剥がした状態の写真の一部をグレースケールに変換した図である。また、図１２Ｂは、比較例のコネクタ４００を基板５に実装した後に、ハウジング２を基板５から剥がした状態の写真の一部をグレースケールに変換した図である。図１２Ａ、図１２Ｂのいずれにおいても、基板５には複数のコンタクト１が半田付けされた状態で残っている。
【００７４】
図１２Ｂに示すように、比較例のコネクタ４００では、接合部３０に固着した半田６（破線Ｂ３で囲まれた領域を参照）の含有するフラックス６１が、複数のコンタクト１の配置されている領域まで流れ込んでいる（破線Ｂ４で囲まれた領域を参照）。一方、図１２Ａに示すように、本実施形態のコネクタ１００では、接合部３０に固着した半田６（破線Ｂ１で囲まれた領域を参照）の含有するフラックス６１は、一対の突出部２６の周囲に留まっており（破線Ｂ２で囲まれた領域を参照）、複数のコンタクト１の配置されている領域まで流れ込んでいない。
【００７５】
上述のように、本実施形態のコネクタ１００では、取付金具３を半田付けにより基板５に接合するときに、仮に半田６の含有するフラックス６１がコンタクト１側へ流れたとしても、フラックス６１が基板５と窪み部２７との間の部位により広がり難い。したがって、本実施形態のコネクタ１００では、取付金具３を半田付けにより基板５に接合するときに、半田６の含有するフラックス６１がコンタクト１へと流れるのを低減することができる。
【００７６】
ところで、本実施形態では、基板５と窪み部２７との間の距離は、本実施形態のコネクタ１００を基板５に実装した状態において、毛細管現象等が発生し難い程度の距離に設定されるのが好ましい。この場合、毛細管現象等によりフラックス６１が基板５と突出部２６との間に浸入したとしても、基板５と窪み部２７との間の部位でフラックス６１がより広がり難い。
【００７７】
また、本実施形態では、突出部２６の対向面２６０と接合部３０とは略面一であるが、これに限定する趣旨ではない。例えば、接合部３０は、突出部２６の対向面２６０よりも後向きに突出していてもよい。つまり、接合部３０の背面２０から突出する寸法は、突出部２６の背面２０から突出する寸法以上であることが好ましいが、これに限定する趣旨ではない。
【００７８】
また、本実施形態では、突出部２６は、ハウジング２と同一の材料により形成されているが、これに限定する趣旨ではない。例えば、突出部２６は、取付金具３と一体に形成されていてもよい。つまり、突出部２６は、取付金具３と同一の材料により形成されていてもよい。
【００７９】
また、本実施形態では、コネクタ１００はソケットであるが、これに限定する趣旨ではない。例えば、コネクタ１００は、ヘッダであってもよい。つまり、本実施形態の他コネクタ２００が、コネクタ１００であってもよい。
【００８０】
（５）変形例
以下、本実施形態のコネクタ１００の変形例として、第１変形例〜第５変形例のコネクタ１０１〜１０５について説明する。ただし、第１変形例〜第５変形例のコネクタ１０１〜１０５の基本的な構成は、いずれも本実施形態のコネクタ１００と共通しているので、共通する点については説明を省略する。また、第１変形例〜第５変形例のコネクタ１０１〜１０５は、いずれも接続装置３００において、本実施形態のコネクタ１００の代わりに用いることが可能である。
【００８１】
（５．１）第１変形例
本実施形態の第１変形例のコネクタ１０１では、図１３Ａに示すように、一対の突出部２６が設けられる代わりに、１つの突出部２６が２つの第２領域Ａ２の各々に設けられている。なお、図１３Ａは、ハウジング２の長手方向の一端部（右端部）だけを示している。突出部２６は、平面視で略三角形状に形成されている。具体的には、突出部２６は、平面視で、長手方向（上下方向）の長さが互いに異なる２つの長方形と、２つの長方形に挟まれた台形とを組み合わせた形状となっている。そして、突出部２６と第１領域Ａ１との間には、窪み部２７が設けられている。また、突出部２６と一対の底片３３との間には、それぞれ溝部２８が設けられている。つまり、接合部３０と突出部２６との間には、溝部２８が設けられている。
【００８２】
本変形例では、本実施形態と同様に、取付金具３を半田付けにより基板５に接合するときに、半田６の含有するフラックス６１がコンタクト１へと流れるのを低減することができる。
【００８３】
（５．２）第２変形例
本実施形態の第２変形例のコネクタ１０２では、図１３Ｂに示すように、一対の突出部２６が設けられる代わりに、１つの突出部２６が２つの第２領域Ａ２の各々に設けられている。なお、図１３Ｂは、ハウジング２の長手方向の一端部（右端部）だけを示している。突出部２６は、平面視で、ハウジング２の短手方向（上下方向）に沿って長い長方形状に形成されている。そして、突出部２６は、一対の側片３２に挟まれた領域に配置されている。また、突出部２６と一対の底片３３との間には、それぞれ溝部２８が設けられている。つまり、接合部３０と突出部２６との間には、溝部２８が設けられている。
【００８４】
本変形例では、本実施形態と同様に、取付金具３を半田付けにより基板５に接合するときに、半田６の含有するフラックス６１がコンタクト１へと流れるのを低減することができる。
【００８５】
（５．３）第３変形例
本実施形態の第３変形例のコネクタ１０３では、図１３Ｃに示すように、一対の突出部２６に更に１つの突出部２６を加えて、３つの突出部２６が２つの第２領域Ａ２の各々に設けられている。なお、図１３Ｃは、ハウジング２の長手方向の一端部（右端部）だけを示している。３つの突出部２６は、いずれも平面視で、ハウジング２の長手方向（左右方向）に沿って長い長方形状に形成されている。また、３つの突出部２６は、一対の側片３２に挟まれた領域において、ハウジング２の短手方向（上下方向）に沿って間隔を空けて並んでいる。そして、３つの突出部２６のうち中央に位置する突出部２６は、他の２つの突出部２６と比較して、長手方向（左右方向）の寸法が長くなっている。
【００８６】
また、３つの突出部２６と一対の底片３３との間には、それぞれ溝部２８が設けられている。同様に、３つの突出部２６のうち上側の突出部２６及び下側の突出部２６と、一対の側片３２との間には、それぞれ溝部２８が設けられている。つまり、接合部３０と突出部２６との間には、溝部２８が設けられている。
【００８７】
本変形例では、本実施形態と同様に、取付金具３を半田付けにより基板５に接合するときに、半田６の含有するフラックス６１がコンタクト１へと流れるのを低減することができる。
【００８８】
（５．４）第４変形例
本実施形態の第４変形例のコネクタ１０４では、図１４に示すように、凹部２９が２つの第２領域Ａ２の各々に設けられている。なお、図１４は、ハウジング２の長手方向の一端部（右端部）だけを示している。凹部２９は、第２領域Ａ２におけるエジェクタピンが押し当てられる領域に設けられており、平面視で円形状である。また、凹部２９は、窪み部２７の底面に対して前向きに窪んでいる。つまり、コネクタ１０４を基板５に実装した状態において、凹部２９と基板５との間の距離は、窪み部２７と基板５との間の距離よりも長くなっている。凹部２９は、例えばエジェクタピンを押し当てることにより形成される。その他、凹部２９は、例えば金型にて成形することで形成されてもよい。
【００８９】
本変形例では、本実施形態と同様に、取付金具３を半田付けにより基板５に接合するときに、半田６の含有するフラックス６１がコンタクト１へと流れるのを低減することができる。また、本変形例は、凹部２９を有するため、基板５と凹部２９との間の部位でフラックス６１がより広がり難い。
【００９０】
（５．５）第５変形例
本実施形態の第５変形例のコネクタ１０５は、図１５に示すように、複数（ここでは、５つ）の突出部２６と、複数（ここでは、４つ）の窪み部２７とを有している。複数の突出部２６は、いずれも平面視で長方形状であり、第１領域Ａ１において、上側の複数のコンタクト１と下側の複数のコンタクト１とで挟まれる領域に配置されている。複数の窪み部２７は、複数の突出部２６と同様に、第１領域Ａ１において、上側の複数のコンタクト１と下側の複数のコンタクト１とで挟まれる領域に配置されている。なお、本変形例では、ハウジング２の背面２０において、第１領域Ａ１と第２領域Ａ２との境界に段差が形成されていない。
【００９１】
本変形例では、複数の突出部２６及び複数の窪み部２７は、複数のコンタクト１の配列方向（左右方向）に沿って交互に並んで設けられている。ここでは、複数の突出部２６は、それぞれハウジング２の長手方向（左右方向）の一端（右端）側から順に、第１突出部２６１、第２突出部２６２、第３突出部２６３、第４突出部２６４、及び第５突出部２６５とする。また、ここでは、複数の窪み部２７は、それぞれハウジング２の長手方向の一端側から順に、第１窪み部２７１、第２窪み部２７２、第３窪み部２７３、第４窪み部２７４とする。
【００９２】
本変形例では、複数の突出部２６は、いずれも複数のコンタクト１のうち一部のコンタクト１の露出部１０と接合部３０との間に設けられている。例えば、第１突出部２６１は、複数のコンタクト１のうち最も右側に位置する一対のコンタクト１を除いた残りのコンタクト１の露出部１０と、右側の接合部３０との間に設けられている。また、本変形例では、複数の窪み部２７は、いずれも複数のコンタクト１のうち一部のコンタクト１の露出部１０と接合部３０との間に設けられている。例えば、第１窪み部２７１は、複数のコンタクト１のうち最も右側に位置する２対のコンタクト１を除いた残りのコンタクト１の露出部１０と、第１突出部２６１との間に設けられている。
【００９３】
本変形例では、仮に第１突出部２６１と基板５との間の部位にフラックス６１が浸入したとしても、第１突出部２６１に隣接する第１窪み部２７１と基板５との間の部位により、フラックス６１が広がり難い。また、仮にフラックス６１が第２突出部２６２と基板５との間の部位にまで浸入したとしても、第２突出部２６２に隣接する第２窪み部２７２と基板５との間の部位により、フラックス６１が広がり難い。つまり、本変形例では、複数の突出部２６及び複数の窪み部２７を有するため、仮にフラックス６１が一部のコンタクト１の配置されている領域まで浸入しても、残りのコンタクト１の配置されている領域までフラックス６１が流れるのを低減することができる。
【００９４】
（実施形態２）
（１）詳細
以下、実施形態２のコネクタ１０６の構成について図１６、図１７を用いて説明する。ただし、本実施形態のコネクタ１０６の基本的な構成は、実施形態１のコネクタ１００と共通しているので、共通する点については説明を省略する。また、本実施形態のコネクタ１０６は、接続装置３００において、実施形態１のコネクタ１００の代わりに用いることが可能である。
【００９５】
本実施形態のコネクタ１０６は、実施形態１のコネクタ１００とは異なり、複数のコンタクト１として２６本のコンタクト１を有している。また、本実施形態では、複数のコンタクト１のうちの２つのコンタクト１がそれぞれ電源端子４として機能する。具体的には、台部２３の上側に配置される複数のコンタクト１のうち最も右側に位置するコンタクト１と、台部２３の下側に配置される複数のコンタクト１のうち最も左側に位置するコンタクト１とが電源端子４として機能する。
【００９６】
ここで、電源端子４には、コンタクト１に流れる電流と比較して大きな電流が流れる。そこで、本実施形態では、電源端子４としてのコンタクト１の幅寸法（ハウジング２の長手方向（左右方向）の寸法）を他のコンタクト１の幅寸法よりも大きくすることで、電源端子４のインピーダンスをコンタクト１のインピーダンスよりも小さくしている。
【００９７】
また、本実施形態では、取付金具３が実施形態１の取付金具３と異なっている。具体的には、本実施形態では、取付金具３は、１つの主部３６と、一対の側部３７と、一対の連結部３８とで構成されている。以下の説明では、一対の取付金具３のうち、ハウジング２の一端（左端）に取り付けられる取付金具３を例として説明するが、ハウジング２の他端（右端）に取り付けられる取付金具３も同様の構成である。
【００９８】
主部３６は、一対の第２側壁２２２のうち一方（左方）の第２側壁２２２に取り付けられる。主部３６の後端縁には、一対の接合片３６１が設けられている。一対の接合片３６１は、それぞれハウジング２の底壁２１から露出しており、主部３６の後端縁から底壁２１に沿った向き（左向き）に折り曲げられて形成されている。一対の接合片３６１の各々の一面（後面）は、半田付けにより基板５に接合される接合部３０である。
【００９９】
一対の側部３７のうち一方（下方）の側部３７は、一対の第１側壁２２１のうち一方（下方）の第１側壁２２１の長手方向（左右方向）の一端部であって、複数のコンタクト１が配列されていない部位に取り付けられる。一対の側部３７のうち他方（上方）の側部３７は、一対の第１側壁２２１のうち他方（上方）の第１側壁２２１の長手方向の一端部であって、複数のコンタクト１が配列されていない部位に取り付けられる。一対の側部３７の各々の後面は、ハウジング２の底壁２１から露出しており、半田付けにより基板５に接合される接合部３０である。
【０１００】
一対の連結部３８のうち一方（下方）の連結部３８は、主部３６と、一対の側部３７のうち一方（下方）の側部３７とを連結する。また、一対の連結部３８のうち他方（上方）の連結部３８は、主部３６と、一対の側部３７のうち他方（上方）の側部３７とを連結する。一対の連結部３８は、それぞれ一部がハウジング２の底壁２１から露出している。ここで、本実施形態では、一対の連結部３８の各々の底壁２１から露出する部位は、突出部２６としても機能させることも可能である。
【０１０１】
本実施形態のコネクタ１０６は、上述の連結部３８で構成される突出部２６の他に、複数（ここでは、４つ）の突出部２６と、複数（ここでは、３つ）の窪み部２７とを有している。複数の突出部２６は、いずれも平面視で長方形状であり、第１領域Ａ１において、上側の複数のコンタクト１と下側の複数のコンタクト１とで挟まれる領域に配置されている。複数の窪み部２７は、複数の突出部２６と同様に、第１領域Ａ１において、上側の複数のコンタクト１と下側の複数のコンタクト１とで挟まれる領域に配置されている。なお、本実施形態では、ハウジング２の背面２０において、第１領域Ａ１と第２領域Ａ２との境界に段差が形成されていない。
【０１０２】
本実施形態では、複数の突出部２６及び複数の窪み部２７は、複数のコンタクト１の配列方向（左右方向）に沿って交互に並んで設けられている。ここでは、複数の突出部２６は、それぞれハウジング２の長手方向（左右方向）の一端（右端）側から順に、第１突出部２６１、第２突出部２６２、第３突出部２６３、及び第４突出部２６４とする。また、ここでは、複数の窪み部２７は、それぞれハウジング２の長手方向の一端側から順に、第１窪み部２７１、第２窪み部２７２、及び第３窪み部２７３とする。
【０１０３】
本実施形態では、複数の突出部２６は、いずれも複数のコンタクト１のうち一部のコンタクト１の露出部１０と接合部３０との間に設けられている。例えば、第１突出部２６１は、複数のコンタクト１のうち最も右側に位置する一対のコンタクト１（電源端子４を含む）を除いた残りのコンタクト１の露出部１０と、右側の接合部３０との間に設けられている。また、本実施形態では、複数の窪み部２７は、いずれも複数のコンタクト１のうち一部のコンタクト１の露出部１０と接合部３０との間に設けられている。例えば、第１窪み部２７１は、複数のコンタクト１のうち最も右側に位置する４対のコンタクト１（電源端子４を含む）を除いた残りのコンタクト１の露出部１０と、第１突出部２６１との間に設けられている。
【０１０４】
（２）効果
本実施形態のコネクタ１０６では、実施形態１のコネクタ１００と同様に、取付金具３を半田付けにより基板５に接合するときに、半田６の含有するフラックス６１がコンタクト１へと流れるのを低減することができる。特に、本実施形態では、仮に第１突出部２６１と基板５との間の部位にフラックス６１が浸入したとしても、第１突出部２６１に隣接する第１窪み部２７１と基板５との間の部位により、フラックス６１が広がり難い。また、仮にフラックス６１が第２突出部２６２と基板５との間の部位にまで浸入したとしても、第２突出部２６２に隣接する第２窪み部２７２と基板５との間の部位により、フラックス６１が広がり難い。つまり、本実施形態では、複数の突出部２６及び複数の窪み部２７を有するため、仮にフラックス６１が一部のコンタクト１の配置されている領域まで浸入しても、残りのコンタクト１の配置されている領域までフラックス６１が流れるのを低減することができる。
【０１０５】
（３）変形例
以下、本実施形態の変形例のコネクタ１０７の構成について図１８を用いて説明する。ただし、本変形例のコネクタ１０７の基本的な構成は、本実施形態のコネクタ１０６と共通しているので、共通する点については説明を省略する。また、本変形例のコネクタ１０７は、接続装置３００において、実施形態１のコネクタ１００の代わりに用いることが可能である。
【０１０６】
本変形例のコネクタ１０７は、連結部３８で構成される突出部２６の他に、複数（ここでは、８つ）の突出部２６と、複数（ここでは、７つ）の窪み部２７とを有している。そして、本変形例では、複数の突出部２６は、複数のコンタクト１の配列方向（左右方向）において、コンタクト１を１つずつ飛ばすように間隔を空けて配置されている。同様に、本変形例では、複数の窪み部２７は、複数のコンタクト１の配列方向において、コンタクト１を１つずつ飛ばすように間隔を空けて配置されている。ここでは、複数の突出部２６は、それぞれハウジング２の長手方向（左右方向）の一端（右端）側から順に、第１突出部２６１〜第８突出部２６８とする。また、ここでは、複数の窪み部２７は、それぞれハウジング２の長手方向の一端側から順に、第１窪み部２７１〜第７窪み部２７７とする。
【０１０７】
本変形例のコネクタ１０７では、複数の突出部２６の間隔、及び複数の窪み部２７の間隔が本実施形態のコネクタ１０６と比較して狭くなっているので、フラックス６１がコンタクト１へと流れるのをより低減することができる。例えば、本実施形態のコネクタ１０６では、仮に第１突出部２６１と基板５との間の部位にフラックス６１が浸入した場合、ハウジング２の最も右側にある３対のコンタクト１（電源端子４を含む）にフラックス６１が付着する状態に留めることができる可能性がある。一方、本変形例のコネクタ１０７では、上記の場合に、第１突出部２６１に隣接する第１窪み部２７１と基板５との間の部位にフラックス６１が留まれば、フラックス６１が付着する可能性のあるコンタクト１の数を低減することができる。つまり、本変形例のコネクタ１０７では、上記のようにフラックス６１を留めた場合、ハウジング２の最も右側にある１対のコンタクト１（電源端子４を含む）だけにフラックス６１が付着する可能性がある。
【０１０８】
以上述べたように、第１の態様のコネクタ（１００〜１０７）は、複数のコンタクト１と、ハウジング２と、取付金具３とを備える。ハウジング２は、複数のコンタクト１を保持する。取付金具３は、ハウジング２に取り付けられる。取付金具３は、ハウジング２の基板５に対向する背面２０から露出して、基板５に接合される接合部３０を有している。複数のコンタクト１の各々は、ハウジング２の背面２０から露出する露出部１０を有している。ハウジング２は、突出部２６と、窪み部２７とを有している。突出部２６は、複数のコンタクト１のうち少なくとも一部のコンタクト１の露出部１０と接合部３０との間に設けられて、背面２０から突出する。窪み部２７は、複数のコンタクト１のうち少なくとも一部のコンタクト１の露出部１０と突出部２６との間に設けられて、突出部２６の基板５に対向する対向面２６０に対して窪んでいる。
【０１０９】
この構成によると、取付金具３を半田付けにより基板５に接合するときに、半田６の含有するフラックス６１がコンタクト１へと流れるのを低減することができる。
【０１１０】
また、第２の態様のコネクタ（１００〜１０４，１０７）では、第１の態様において、突出部２６は、複数のコンタクト１の全ての露出部１０と接合部３０との間に設けられている。窪み部２７は、複数のコンタクト１の全ての露出部１０と突出部２６との間に設けられている。
【０１１１】
この構成によると、突出部２６及び窪み部２７が全てのコンタクト１が配置される領域外に配置されているので、全てのコンタクト１に対してフラックス６１の流れ込みを低減する効果が期待できる。
【０１１２】
また、第３の態様のコネクタ（１０５，１０６）では、第１の態様において、突出部２６は、複数のコンタクト１のうち一部のコンタクト１の露出部１０と接合部３０との間に設けられている。窪み部２７は、複数のコンタクト１のうち一部のコンタクト１の露出部１０と突出部２６との間に設けられている。
【０１１３】
この構成によると、突出部２６及び窪み部２７が複数のコンタクト１のうち一部のコンタクト１が配置される領域外に配置されているので、一部のコンタクト１に対してフラックス６１の流れ込みを低減する効果が期待できる。
【０１１４】
また、第４の態様のコネクタ（１００〜１０７）では、第１又は第２の態様において、ハウジング２は、他コネクタ２００が嵌合する嵌合部２４を更に有している。突出部２６は、背面２０において嵌合部２４と対応する位置に設けられている。
【０１１５】
この構成によると、突出部２６により、ハウジング２の背面２０において他コネクタ２００が接触する部位を補強することができる。したがって、この構成では、コネクタ（１００〜１０７）に他コネクタ２００を嵌合するときに、ハウジング２の背面２０において他コネクタ２００が接触する部位が、他コネクタ２００に押されて陥没するのを低減することができる。
【０１１６】
また、第５の態様のコネクタ（１００〜１０７）では、第１〜第４のいずれかの態様において、接合部３０の背面２０から突出する寸法は、突出部２６の背面２０から突出する寸法以上である。
【０１１７】
この構成によると、例えば基板５と突出部２６との間の部位を広くすれば、基板５と突出部２６との間の部位により、フラックス６１を広がり難くすることができる。
【０１１８】
また、第６の態様のコネクタ（１００〜１０７）では、第１〜第５のいずれかの態様において、突出部２６は、ハウジング２と同一の材料で形成されていてもよい。
【０１１９】
この構成によると、ハウジング２の一部を突出部２６として用いることができる。このため、この構成では、例えばハウジング２を金型を用いて成形するだけで、突出部２６を設けることが可能であるので、コネクタ（１００〜１０７）の製造工程の簡易化を図ることができる。
【０１２０】
また、第７の態様のコネクタ（１００〜１０７）では、第１〜第５のいずれかの態様において、突出部２６は、取付金具３と同一の材料で形成されていてもよい。
【０１２１】
この構成によると、取付金具３の一部を突出部２６として用いることができる。このため、この構成では、例えば取付金具３をインサート品としてハウジング２をインサート成形するだけで、突出部２６を設けることが可能であるので、コネクタ（１００〜１０７）の製造工程の簡易化を図ることができる。
【０１２２】
また、第８の態様のコネクタ（１００〜１０７）では、第１〜第７のいずれかの態様において、ハウジング２は、溝部２８を更に有している。溝部２８は、接合部３０と突出部２６との間に設けられて、突出部２６の対向面２６０に対して窪んでいる。
【０１２３】
この構成によると、基板５と溝部２８との間の部位が、基板５と突出部２６との間の部位よりも広くなっているために、基板５と溝部２８との間の部位において毛細管現象等が発生し難い。したがって、この構成では、接合部３０と突出部２６との間に溝部２８が無い場合と比較して、フラックス６１がコンタクト１へと流れるのをより低減することができる。
【０１２４】
また、第９の態様のコネクタ（１０４）では、第１〜第８のいずれかの態様において、突出部２６は、一対である。ハウジング２は、凹部２９を更に有している。凹部２９は、一対の突出部２６の間に設けられて、突出部２６の対向面２６０に対して窪んでいる。
【０１２５】
この構成によると、基板５と凹部２９との間の部位が、基板５と窪み部２７との間の部位よりも広くなっているために、基板５と凹部２９との間の部位でフラックス６１がより広がり難い。
【０１２６】
また、第１０の態様のコネクタ（１０５〜１０７）では、第１〜第９のいずれかの態様において、突出部２６及び窪み部２７は、それぞれ複数である。複数の突出部２６及び複数の窪み部２７は、複数のコンタクト１の配列方向に沿って交互に並んでいる。
【０１２７】
この構成によると、仮にフラックス６１が一部のコンタクト１の配置されている領域まで浸入しても、残りのコンタクト１の配置されている領域までフラックス６１が流れるのを低減することができる。
【０１２８】
また、第１１の態様の接続装置３００は、第１〜第１０のいずれかの態様のコネクタ（１００〜１０７）と、他コネクタ２００とを備える。他コネクタ２００は、複数のコンタクト１と電気的に接続される複数の他コネクタ側コンタクト１Ａを有する。
【０１２９】
この構成によると、取付金具３を半田付けにより基板５に接合するときに、半田６の含有するフラックス６１がコンタクト１へと流れるのを低減することができる接続装置３００を実現することができる。
【０１３０】
以上、実施形態１，２に係るコネクタ１００〜１０７及び接続装置３００について説明した。ただし、以上に説明した実施形態は、本発明の様々な実施形態の一つに過ぎない。上記の実施形態は、本発明の目的を達成できれば、設計等に応じて種々の変更が可能である。
【符号の説明】
【０１３１】
１  コンタクト
１０  露出部
２  ハウジング
２０  背面
２４  嵌合部
２６  突出部
２７  窪み部
２８  溝部
２９  凹部
３  取付金具
３０  接合部
１００〜１０７  コネクタ
２００  他コネクタ
３００  接続装置
【図１】
2018107048.tif 000003
【図２】
2018107048.tif 000004
【図３】
2018107048.tif 000005
【図４】
2018107048.tif 000006
【図５】
2018107048.tif 000007
【図６】
2018107048.tif 000008
【図７】
2018107048.tif 000009
【図８】
2018107048.tif 000010
【図９】
2018107048.tif 000011
【図１０】
2018107048.tif 000012
【図１１】
2018107048.tif 000013
【図１２】
2018107048.tif 000014
【図１３】
2018107048.tif 000015
【図１４】
2018107048.tif 000016
【図１５】
2018107048.tif 000017
【図１６】
2018107048.tif 000018
【図１７】
2018107048.tif 000019
【図１８】
2018107048.tif 000020